(57)【特許請求の範囲】
【請求項１】
下義歯を取付けた下顎模型を中央上側に取付けられる下顎模型取付ベースを設け、上義歯を取付けた上顎模型を中央下側に取付られる上顎模型取付フレームを前記下顎模型取付ベースの上方に配置するとともに、前記上顎模型取付フレームに取付けられる前記上顎模型の上義歯の歯列が前記下顎模型取付ベースに取付けられる前記下顎模型の下義歯の歯列に対し開閉できるように前記上顎模型取付フレームのフレーム全体を回転させる水平軸を前記上顎模型取付フレームの後方のフレーム基部に設けるとともに、同水平軸を前記下顎模型取付ベースの後方位置の上部で軸支する構造とした歯科用咬合器であって、
前記下顎模型取付ベースは、下義歯の歯列を取付けた前記下顎模型を中央上側に取付ける模型取付円板とその模型固定ねじとを中央部に設け且つ設置面を定める複数の脚部を設け、更に、前記下顎模型取付ベースの後端部の左右それぞれに上方に伸びるように立設させた左右一対の下支持アームと，前記下顎模型取付ベースの後端の左右中間で且つ前記下支持アームより更に後方となる位置に前記下顎模型取付ベースの設置面に対して垂直となるように立設された旋回軸棒と，左右一対の前記下支持アームの上端間に架設され且つ前記下顎模型取付ベースの設置面と平行な上面を有する固定面板と，同固定面板の上面と面接触する下面を有し且つ前記旋回軸棒を嵌挿した嵌合穴を有して同旋回軸棒まわりに前記固定面板の上面と面接触しながら回転できる旋回板と，前記旋回軸棒の垂直軸線から所定距離前方にある前記旋回板の両端の左右それぞれに上方に伸びるように立設された左右一対の上支持アームと，前記上顎模型取付フレームの前記フレーム基部に設けた前記水平軸を左右一対の前記上支持アームの上端部で軸支する軸支部とを設け、加えて前記上顎模型取付フレームの前端部に固定ねじ付きのインサイザルピンを設けた構成とし、前記上顎模型取付フレームを前記旋回軸棒まわりに旋回可能とすることを特徴とする、歯科用咬合器。
【請求項２】
前記上顎模型取付フレームの前記水平軸を軸支する前記軸支部の高さを調整可能とした、請求項１記載の歯科用咬合器。
【請求項３】
前記固定面板と前記旋回板との間に厚みが薄い硬質の透明プラスチック板を脱着自在に挟みこんで、その前端面が固定ねじ付の前記インサイザルピンの中間で支持されるようにし、前記透明プラスチック板で咬合面を明示できるようにした、請求項１又は２記載の歯科用咬合器。
【請求項４】
前記固定面板と前記旋回板との間にいずれかの前記板と固着するスペーサを脱着自在に間装し、同スペーサとこれに対向する前記固定面板又は前記旋回板との対向面を滑り面として前記旋回板を左右水平に旋回できるようにしたことを特徴とする、請求項１又は２記載の歯科用咬合器。
【請求項５】
前記固定面板の上方及び前記旋回板の下方それぞれに前記板と固着する上下２個のスペーサを脱着自在に前記板に間装し、上下の同スペーサの対向面を滑り面として前記旋回板を左右水平に旋回できるようにした、請求項１又は２記載の歯科用咬合器。
【請求項６】
前記板と前記スペーサとの間の対向面を滑り面とするとともに、その対向面間に厚みが薄い硬質の透明プラスチック板を脱着自在に挟みこんで、その前端面が固定ねじ付の前記インサイザルピンの中間で支持されるようにした、請求項４記載の歯科用咬合器。
【請求項７】
上下２個のスペーサの対向面を滑り面とするとともに、その対向面間に厚みが薄い硬質の透明プラスチック板を脱着自在に挟みこんで、その前端面が固定ねじ付の前記インサイザルピンの中間で支持されるようにした、請求項５記載の歯科用咬合器。
【発明の詳細な説明】
【技術分野】
【０００１】
本発明は、歯科治療の義歯の製作・修復に使用する咬合器に関する。
【背景技術】
【０００２】
幼児・子供の頃から永久歯が生え揃う２４〜２６才頃に、人間の理想咬合の高さが完成されるとされている。この理想咬合では上歯と下歯の咬合面の延長上に脊柱の頂部にある正中環軸関節があるようになっている（図１５参照）。
しかし、その年令以降は食事・歯ぎしり・くいしばり・抜歯等で経年的に歯が摩耗していき、歯の咬合面の延長の下方又は上方に正中環軸関節（歯突起を中心とする関節）ＭＳがくるようになる（正中環軸関節ＭＳの上方又は下方に咬合面の延長面がくる状態となる）。このようになると、咀嚼筋の閉口筋が垂直的に短くなる。これが「低位咬合」と称されているもので、この低位咬合になると、不定愁訴及びネコ背・不良姿勢等の姿勢の不良、頸椎症、脊髄症、緑内障、上肢の痺れ、肩こり、頭痛、高血圧症、糖尿病、喘息、顎関節痛、歯周病、いびき及び耳鼻障害等が誘発されているといわれている。この「低位咬合」は治療されるべきものであるが、「低位咬合」の改善の治療はあまりなされていなかった。
【０００３】
従来の咬合器は、引用文献１に知られるように下義歯を取付けた下顎模型を中央上側に取付ける下顎模型取付ベースと、上義歯を取付けた上顎模型を中央下側に取付ける上顎模型取付フレームとを有し、同上顎模型取付フレームを前記下顎模型取付ベースの上方に配置するとともに、上顎模型取付フレームはそのフレームの基部で水平な軸まわりに起伏自在に軸支されている。その軸支部分は下顎模型取付ベースの後部に立設した左右一対の支柱の頂部で支持されている。この軸支部まわりの回転で、下顎模型と上顎模型の義歯が開閉し、同時に咬み合うようにしている。又、上顎模型取付フレームの先端部側を支持するため、上顎模型取付フレームの先端部に垂直なインサイザルピンを取付け、先端部に取付けた固定ねじで所定高さでインサイザルピンを固着して、上顎模型取付フレームを略水平に保持できるようにしている。
【０００４】
この従来の義歯の製作・修復のための咬合器は、人間の下顎が顎関節まわりに動くとされた下顎モデルに準じ、相対的に上顎模型を顎関節に相当する枢支軸まわりに起伏させて、人間の口の開閉及び歯の咬み合わせの構造を模したものとしている。この従来の咬合器の技術は、特許文献１，２に開示されている。
【０００５】
本発明者は、歯の上下の咬み合せは顎筋力を使って下顎（下義歯）を上顎に近づけて、下義歯を上顎の上義歯に咬合させるもので、咬合器としては上顎を顎関節に相当する水平な軸支の支軸まわりに回転自在（起伏自在）にすることは、人間の上下咬み合せを再現させていると考える。しかし、下顎の左右方向の咬み合せ（側方運動）は図１５で示す顎関節ＭＧまわりでなく、人間の正中環軸関節ＭＳまわりであるものであるから、従来の咬合器では下顎の左右スライドの咬み合せについては、考慮された義歯の製作・修復とはなっていなかった。
【０００６】
又、正中環軸関節ＭＳ中心に歯の咬合面Ｐを設定し、咬合器の上顎模型を前記咬合面の面レベルにある水平な枢支軸まわりに起伏させ且つ旋回させる咬合器の構造が、引用文献３に開示されている。この引用文献３の発明は、正中環軸関節ＭＳまわりに上下の起伏と左右水平振りの運動をさせる構造である。
しかしながら、上下歯の上下の咬み合せ（物をくわえ咬み砕く時）は、下顎を強力な顎筋力で顎関節ＭＧまわりに回転（閉口）させて、歯の咬み合せと咬み合せ力（咬合力）を発生させるのが人間の構造であるので、歯の上下の咬み合せまで正中環軸関節ＭＳまわりに設定すると上下歯の上下咬み合せが人間の構造と違ったものとなり、正しい義歯の咬み合せができないものとなっている。
【０００７】
本発明者は、歯で食物をくわえて咬むときの口の閉口運動は顎関節まわりに下顎は動き、次に口の開口運動及び側方運動（水平左右方向に下顎を動かす運動）では、正中環軸関節まわりに動くものであると理解し、それで咬合器は閉口の咬み合せの顎関節まわりの起伏の動きと、正中環軸関節まわりの開口と左右回転の動きの２つの回転中心位置と回転方向が違う２軸まわりに動かすことが必要であり、この２軸まわりの動きがより人の咬み合せモデルに近いものとなるとの知見に達し、本発明に至った。
【先行技術文献】
【特許文献】
【０００８】
【特許文献１】特開２００４−１１３３９８号公報
【特許文献２】特許第３５７９７９３号公報
【特許文献３】特表２０１３−５２１０９７号公報
【発明の概要】
【発明が解決しようとする課題】
【０００９】
本発明が解決しようとする課題は、従来の顎関節相当の支軸まわりに起伏自在にした咬合器における問題点を解消し、下顎の下歯の左右振り（側方運動）での上歯との咬み合せを正確にでき、又低位咬合の歯を正しい正中環軸関節中心の高さで歯の咬み合せ治療できる咬合器を提供することにある。
【００１０】
更に詳しく説明すると、従来の咬合器が病的状態（低位咬合）であっても健康な状態の咬合であっても、その人の現状の咬合（個有咬合）の咬合位（上顎歯と下顎歯の咬合の垂直的距離）を変えないで、顎関節内の下顎骨顆頭の動きを可能な限り分析し、咀嚼咬合面に反映しようとしたことにある。
本発明による咬合器は、病的状態にある咬合位を先ず挙上し、可能な限り全身的にも健康な状態に導いた後の口腔内の下顎・上顎（頭）の運動を咬合器に再現できるようにした。尚、通常全身的に健康な状態の場合は挙上しないが、予防的に挙上する場合がある。
又、上顎に下顎の運動を顎関節の視点に加え、頸椎にも視点をおいて全身的視野に立脚して咬合器を操作できるようにすることにある。即ち、口腔の咀嚼筋の伸張反射による運動神経の姿勢制御と自律神経の生理学的恒常性の確立を考慮に入れた全身医学に立脚した治療が行えることを目指している。
【課題を解決するための手段】
【００１１】
かかる課題を解決した本発明の構成は、
１）  下義歯を取付けた下顎模型を中央上側に取付けられる下顎模型取付ベースを設け、上義歯を取付けた上顎模型を中央下側に取付られる上顎模型取付フレームを前記下顎模型取付ベースの上方に配置するとともに、前記上顎模型取付フレームに取付けられる前記上顎模型の上義歯の歯列が前記下顎模型取付ベースに取付けられる前記下顎模型の下義歯の歯列に対し開閉できるように前記上顎模型取付フレームのフレーム全体を回転させる水平軸を前記上顎模型取付フレームの後方のフレーム基部に設けるとともに、同水平軸を前記下顎模型取付ベースの後方位置の上部で軸支する構造とした歯科用咬合器であって、
前記下顎模型取付ベースは、下義歯の歯列を取付けた前記下顎模型を中央上側に取付ける模型取付円板とその模型固定ねじとを中央部に設け且つ設置面を定める複数の脚部を設け、更に、前記下顎模型取付ベースの後端部の左右それぞれに上方に伸びるように立設させた左右一対の下支持アームと，前記下顎模型取付ベースの後端の左右中間で且つ前記下支持アームより更に後方となる位置に前記下顎模型取付ベースの設置面に対して垂直となるように立設された旋回軸棒と，左右一対の前記下支持アームの上端間に架設され且つ前記下顎模型取付ベースの設置面と平行な上面を有する固定面板と，同固定面板の上面と面接触する下面を有し且つ前記旋回軸棒を嵌挿した嵌合穴を有して同旋回軸棒まわりに前記固定面板の上面と面接触しながら回転できる旋回板と，前記旋回軸棒の垂直軸線から所定距離前方にある前記旋回板の両端の左右それぞれに上方に伸びるように立設された左右一対の上支持アームと，前記上顎模型取付フレームの前記フレーム基部に設けた前記水平軸を左右一対の前記上支持アームの上端部で軸支する軸支部とを設け、加えて前記上顎模型取付フレームの前端部に固定ねじ付きのインサイザルピンを設けた構成とし、前記上顎模型取付フレームを前記旋回軸棒まわりに旋回可能とすることを特徴とする、歯科用咬合器
２）  前記上顎模型取付フレームの前記水平軸を軸支する前記軸支部の高さを調整可能とした、前記１）記載の歯科用咬合器
３）  前記固定面板と前記旋回板との間に厚みが薄い硬質の透明プラスチック板を脱着自在に挟みこんで、その前端面が固定ねじ付の前記インサイザルピンの中間で支持されるようにし、前記透明プラスチック板で咬合面を明示できるようにした、前記１）又は２）記載の歯科用咬合器
４）  前記固定面板と前記旋回板との間にいずれかの前記板と固着するスペーサを脱着自在に間装し、同スペーサとこれに対向する前記固定面板又は前記旋回板との対向面を滑り面として前記旋回板を左右水平に旋回できるようにしたことを特徴とする、前記１）又は２）記載の歯科用咬合器
５）  前記固定面板の上方及び前記旋回板の下方それぞれに前記板と固着する上下２個のスペーサを脱着自在に前記板に間装し、上下の同スペーサの対向面を滑り面として前記旋回板を左右水平に旋回できるようにした、前記１）又は２）記載の歯科用咬合器
６）  前記板と前記スペーサとの間の対向面を滑り面とするとともに、その対向面間に厚みが薄い硬質の透明プラスチック板を脱着自在に挟みこんで、その前端面が固定ねじ付の前記インサイザルピンの中間で支持されるようにした、前記４）記載の歯科用咬合器
７）  上下２個のスペーサの対向面を滑り面とするとともに、その対向面間に厚みが薄い硬質の透明プラスチック板を脱着自在に挟みこんで、その前端面が固定ねじ付の前記インサイザルピンの中間で支持されるようにした、前記５）記載の歯科用咬合器
にある。
【発明の効果】
【００１２】
本発明によれば、図１，７，８，１１に示すように上顎模型取付フレームは、咬合面の後方の高い位置に配置した水平軸まわりに前後方向に起伏でき、口の閉口（上下義歯との咬み合せ）をさせるので、この水平軸が顎関節の働きとなって上下歯の咬み合せは顎関節での回転で行えるので、歯の上下の咬み合せは人間の下顎の動きと相対的に同じとなり、自然な上下の咬み合せの義歯が製作・修復できる。
【００１３】
次に、図５，１０に示すように上顎模型取付フレームは咬合面の面上を水平軸より低い位置で且つ後方にある垂直な旋回軸棒まわり水平の左右方向に回転させることで、上歯（上顎）模型を±８°程咬合面に沿って左右に水平方向に振らせることができ、よって上下歯の左右方向の咬み合せも調整できるものとなっている。この旋回軸棒まわりの回転（旋回）が人間の正中環軸関節まわりの顎の水平左右回転の動きに近いものとなる。
【００１４】
よって、本発明によれば図１，１１に示すように顎関節相当の水平軸まわりの前後方向の起伏の上下回転と、図５に示すような正中環軸関節中心に相当する旋回軸棒まわりの水平な左右の回転（旋回）とを、二つの回転方向と軸の前後位置を異にする回転軸まわりに動かして上顎模型を上下及び左右に回転させることで、上下の歯の噛み合せの他に、左右振りの歯の噛み合せの調整作業も正確に行えるようにした。又、「低位咬合」とならないように理想的な咬合位に沿っての左右の回転（旋回）での咬合面での義歯の上下噛み合せの調整ができ、人間の歯・顎構造により近ずいた正しい歯咬合の義歯の製作と修復を可能とした。
【００１５】
本発明で、図１２に示すように上・下の支持アームの高さ（長さ）が調整できるようにすれば、上下の顎模型の取付け、顎模型の寸法の上下高さ位置・咬合位置の製作誤差・取付誤差があっても、この支持アームの高さ調整でそれをかなり解消でき、使い易いものにできる。更に、高さ調整できることで正中環軸関節の圧迫された状態（頸椎圧迫）を上方に伸びた正常な位置（非圧迫の上下位置）での噛み合せを再現できる義歯の製造・修復を可能にする。
【００１６】
又、固定面板と旋回板との間に厚みが薄い透明プラスチック板を脱着自在に挟んだ発明では、咬合面が正確に視認できるので、顎模型の正しい高さでの取付け作業が迅速にできる。又、歯列と歯の咬み合せ状態も良好に見れるようにでき、正確な義歯の製作・修復を容易にできるようになる。ここで、透明プラスチック板の厚みが薄いとは少なくとも２ｍｍ以下の厚みのことをいう。その厚みは１ｍｍ以下が好ましい。
【図面の簡単な説明】
【００１７】
【図１】図１は、実施例の歯科用咬合器を示す側面図である。
【図２】図２は、実施例の正面図である。
【図３】図３は、実施例の背面図である。
【図４】図４は、実施例の平面図である。
【図５】図５は、実施例の上顎模型取付フレームの左右旋回を示す説明図である。
【図６】図６は、実施例の咬合面透明プレートを取付けた状態を示す側面図である。
【図７】図７は、実施例の上顎模型取付フレームを上方に持ち上げた状態を示す側面図である。
【図８】図８は、上顎模型の下顎模型に対する咬み合せ方向を示す説明図である。
【図９】図９は、咬合面透明プレートを示す平面図である。
【図１０】図１０は、咬合面透明プレートの上面に沿っての上顎模型の旋回状態を示す説明図である。
【図１１】図１１は、実施例の上下顎模型を取付けた状態を示す側面図である。
【図１２】図１２は、上支持アームの高さを調整可能する構造例を示す説明図である。
【図１３】図１３は、スペーサを用いて高さ調整する例を示す説明図である。
【図１４】図１４は、スペーサの斜視図である。
【図１５】図１５は、人間の顎関節ＭＧと正中環軸関節ＭＳの位置を示す説明図である。
【発明を実施するための形態】
【００１８】
本発明の上顎模型の起伏の中心となる顎開閉軸と旋回中心軸との前後方向の距離Ｌは、人間の顎関節と正中環軸関節の前後方向の距離に相当し、人の年令男女差があるが、実用的には５〜８ｍｍ前後の間隔が好ましい。又、旋回面から顎開閉軸の高さの高低差Ｈは人間の顎関節の高さと正中環軸関節の高さの高低差に相当し、２０〜２４ｍｍ程が好ましい。
【００１９】
又、本発明の上顎模型取付フレームの旋回は実施例の如く、固定面板と旋回板を面的に接触させて、旋回板を旋回自在する構造に限定するものでなく、下顎模型取付ベースの設置面に垂直軸を立設して、この垂直軸上部に上顎模型取付フレームを設置面と平行な水平回転自在に軸着する構造でも可能である。
【００２０】
又、本発明のスペーサの滑り面での厚みは１ｍｍ〜１０ｍｍと種々の厚み寸法のものを備えれば、咬合面の高さを１又は０．５ｍｍ単位で調整できる。
【実施例】
【００２１】
以下、本発明の実施例を図１〜１１の図面に基づいて説明する。本実施例は、下顎模型取付ベースの後部上方に固定面板を設け、この面板の上を面接触して後方の設けた垂直な旋回軸棒まわりに旋回自在に取付けた旋回板を設け、この旋回板の上方に上顎模型取付フレームを起伏自在に設けている。この上顎模型取付フレームを起伏する水平な軸（顎開閉軸）は、旋回軸棒の軸心よりＬ（６．５ｍｍ）の距離前方に配置されている。しかも、この軸（顎開閉軸）の高さＨは、上顎模型の上歯と下顎模型の下歯の咬合面から上方に２２．５ｍｍ程上方に設けている。本実施例の顎開閉軸は人間の顎関節に相当し、又後方の旋回軸棒の咬合面の高さの位置の個所が人間の正中環軸関節に相当するものとなっている。
【００２２】
図中、Ｇは実施例の歯科用咬合器、１は金属製の下顎模型取付ベース、１ａは同下顎模型取付ベースを歯科用咬合器Ｇの載置台の台面に平行に保持する脚部、１ｂは下顎模型Ｍ１を取付ける下顎模型取付円板、１ｃは下顎模型Ｍ１を下顎模型取付円板１ｂの上面に固定するための模型固定ねじ、２は下顎模型取付ベース１の後部の左右端それぞれに設けた上方に延びた下支持アーム、３は下顎模型取付ベース１の後縁から後方に向って水平に張り出すように設けた下旋回軸棒保持部、４は下支持アーム２の上縁に後方水平に張り出すように設けた固定面板、５は下旋回軸棒保持部３と固定面板４の上下間且つその左右中間位置で垂直に立設された旋回軸棒、５ａは同旋回軸棒５の下部を下旋回軸棒保持部３に嵌入して固着するための嵌合穴、５ｂは旋回軸棒５の上部を上方に貫通させる固定面板４に設けた嵌挿孔、５ｃは旋回軸棒５の垂直な軸心線である。
【００２３】
６は固定面板４の上面に載置され、その上面に沿って旋回軸棒５の軸心線５ｃまわりに旋回する旋回板６の平面形状と略同平面形状の左右に細長の旋回板、６ａは旋回板６に設けた旋回軸棒５を嵌挿する嵌合穴で、内径が旋回軸棒５の外径より少し大きく旋回板６が前後に僅か傾けられる穴の遊びを有する。７は同旋回板６の左右それぞれに設けた上方に延びた上支持アーム、７ａは同上支持アーム７の上部内側に設けた左右方向に水平に延びた顎開閉軸、７ｂは同顎開閉軸７ａの先端に設けた軸端球体、８は上顎模型Ｍ２を取付ける上顎模型取付円板８ｃを中央下側に取付けた上顎模型取付フレーム、８ａは同上顎模型取付フレームのフレーム基部、８ｂは同フレーム基部の左右それぞれに設けた前記顎開閉軸７ａの軸端球体７ｂを受ける球体受座、８ｃは上顎模型取付円板、８ｄは上顎模型Ｍ２を上顎模型取付円板８ｃに固定するための模型固定ねじ、８ｅは上顎模型取付フレーム８の前端に取付けるインサイザルピン挿入孔、８ｆは同挿入孔に挿入されたインサイザルピン９を固定するためのインサイザルピン固定ねじである。
【００２４】
９はインサイザルピン、９ａは同インサイザルピンの咬合面高さの位置に固着した咬合面透明プレート１１の前端部の上下高さ調整可能な支持環、１０はインサイザルピン９の下端を下顎模型取付ベース１の前端で受けるためのインサイザルテーブル、１１は歯の咬合面を示すための厚みが１ｍｍ程の硬質プラスチック板である咬合面透明プレート、１１ａは咬合面透明プレート１１の後部中央に設けた旋回軸棒５に挿入させるための旋回軸棒嵌入溝、１１ｂは咬合面透明プレートの前部に設けられたインサイザルピン９に挿入させるために設けられた円弧状のインサイザルピン嵌入溝である。
【００２５】
１２ｘは図１２に示される下支持アームの高さが調整できる請求項３の発明の下支持アーム、１２ｘ１は下顎模型取付ベース１の後部に立設した固定ねじ軸、１２ｘ２は下支持アーム１２ｘの下部に垂設した前記固定ねじ軸１２ｘ１の同じ軸心上で且つねじ方向が逆にした固定ねじ軸、１２ｘ３は上下対向した固定ねじ軸１２ｘ１，１２ｘ２と螺合して回転できるターンバックル、１２ｘ４は同ターンバックルに固着した回転操作盤，１２ｘ５は高さを測る高さ目盛板である。Ｍ１は下顎模型、Ｍ１ａは下義歯、Ｍ２は上顎模型、Ｍ２ａは上義歯である。
【００２６】
この実施例では、従来通りに医師・技工士は患者の歯型をとって及び計測して、その患者の忠実な歯列を有する下顎模型Ｍ１と上顎模型Ｍ２を作製する。口腔内でアンテリオジグ（ａｎｔｅｒｉｏｒ  ｊｉｇ）を使用して咬合を挙上した状態で咬合器Ｇに移す。この時、下顎骨顆頭は顎関節内を前下方に移動している。その開口している状態を咬合器Ｇに移す。正常な下顎の顆頭の動きを時間を掛けて咬合誘導しながら左右平等に顆頭が動くのを確認して咬合器に写すようにする。
次に、作製した下顎模型Ｍ１を下顎模型取付円板１ｂ上に突出したピンを嵌合するように位置決めして置いて、下にある模型固定ねじ１ｃを廻して固定させる。同様に上顎模型Ｍ２を上顎模型取付フレーム８の上顎模型取付円板８ｃにピン嵌入して位置決めして装着し、そしてその上方の模型固定ねじ８ｄを廻して固定させる。
【００２７】
次に、上顎模型取付フレーム８の前端部のインサイザルピン挿入孔８ｅにインサイザルピン９を挿入して、インサイザルピン９の先端を下方のインサイザルテーブル１０に当て、所定のピン長さの位置でそのインサイザルピン固定ねじ８ｆを廻して固定する。
この時、インサイザルピン９の中間に取付けた支持環９ａと旋回板６の上面とを結ぶ面が上下義歯Ｍ１ａ，Ｍ２ａの咬合面Ｐとなるように、下顎模型Ｍ１，上顎模型Ｍ２の寸法及びその固定位置を調整する。支持環９ａはインサイザルピン９の中間位置の任意位置で保持できるようにするのが好ましい。任意の高さ位置で保持する方法としては、支持環９ａをゴム質でインサイザルピン９と圧着して位置保持でき、強い力を軸方向に加えると、その保持する高さを変えることができるようにする方法及び支持環９ａに固定用ねじを取付けてもよい。
【００２８】
このように、下顎模型Ｍ１と上顎模型Ｍ２を固定すると、上顎模型Ｍ２は水平な顎開閉軸７ａまわりに回転して起伏する。この顎開閉軸７ａの回転は水平な顎開閉軸７ａの先端に設けた軸端球体７ｂをフレーム基部８ａの球体受座８ｂで支持することで、上顎模型取付フレーム８を起伏自在に回転する。そして、顎開閉軸７ａが顎関節に相当するので、上顎模型Ｍ２を顎関節まわりに回転させることとなり、人間の下顎を顎関節まわりに動かすことに相当し、人間の歯の上下の咬み合せ状態となる。よって、この咬み合せが良好になるように、義歯Ｍ１ａ，Ｍ２ａの加工・調整する。
【００２９】
又、上顎模型取付フレーム７は顎開閉軸７ａの後方にある旋回軸棒５まわりに固定面板４の上面を旋回板６の下面が滑るように旋回（回転）させると、図１０に示されるように上顎模型Ｍ２は水平面に沿って左右に±８°程振られる。これによって、上義歯Ｍ２ａと下義歯Ｍ１ａとの左右水平振りの咬み合せ状態が明確に分り、義歯Ｍ１ａ，Ｍ２ａが良好な左右水平振りの咬み合せとなるように、義歯Ｍ１ａ，Ｍ２ａの加工・修正が容易且つ迅速にできるようになる。
【００３０】
尚、咬合面透明プレート１１を固定面板４と旋回板６の間に挟み、その旋回軸棒嵌入溝１１ａに旋回軸棒５に挿入するように押し込み、そして押し込んで旋回軸棒５が旋回軸棒嵌入溝１１ａの奥まで挿入された位置で咬合面透明プレート１１を回転させると、咬合面透明プレート１１の先端部に設けたインサイザルピン嵌入溝１１ｂに垂直のインサイザルピン９が嵌入されていき、その奥までいった所で止める。この位置で咬合面透明プレート１１は支持環９ａ上に係止された設置面に平行に保持される。この咬合面透明プレート１１は透明であるので、下顎模型Ｍ１の下義歯Ｍ１ａの状態も分り、上顎模型Ｍ２との咬み合い状態も咬合面透明プレート１１を介して理解し安く、模型の固定位置・高さ調整が容易となる。もちろん、この咬合面透明プレート１１を使わないで従来通り咬み合せを行うこともできる。
【００３１】
尚、印象模型（上・下顎歯列支台）を精確に咬合器上にマウント（装着）する手順について説明する。
ある期間を通して挙上された仮歯の状態で、全身的症状が改善されたのを確認する。その後、仮歯下顎歯列が仮歯上顎歯列に対して左右均等に旋回運動を仮歯に印記されるトラック（軌跡）で更に確認し、その咬み合せ（咬合）を咬合器に精確にマウントする。その手順は、良好な状況になった仮歯の咬合位を変えず、更に左右に微動しないように部分的除去しながら、その状況を歯科用精密Ｂｉｔｅ（バイト）材料に印記し、そのバイトで模型を咬合器に写しマウントする。
【００３２】
咬合面透明プレート１１について補足すれば、補綴の最終段階で仮歯（Ｔｅｍｐｏｒａｒｙ  Ｃｒｏｗｎ）から最終補綴製作時に、下顎の印象模型を咬合器に精密にマウントする時の基準装置として使用する。又、咬合面を支台歯にワックス・アップで歯冠形成時にも利用する。特に、高位咬合や理想咬合で咬合面にスピー弯曲やモンソン弯曲を付備しない時、あるいは付備する場合に利用すれば、正確な咬合面を作製できる。
【００３３】
このように、義歯Ｍ１ａ，Ｍ２ａの咬合面Ｐと正中環軸関節の高さが旋回板６の下面となるので、義歯Ｍ１ａ，Ｍ２ａの咬合面Ｐを旋回板６の下面となるように下顎模型Ｍ１，上顎模型Ｍ２を取付ければ、低位咬合とならずに咬み合せが行える。よって、「低位咬合」を治療できるようにできる。
【００３４】
尚、左右の咬合位が異なる場合、図１〜１１の実施例の固定の左右の下支持アーム２を図１２のようにターンバックル連結機構等で高さ調整できる下支持アーム１２ｘの構造とすれば、上下高さ調整が容易となる。下支持アーム１２ｘの下部に固定ねじ軸１２ｘ２を垂設し、又下顎模型取付ベース１の後端に固定ねじ軸１２ｘ２と同軸心で逆方向のねじとなるように固定ねじ軸１２ｘ１を立設し、固定ねじ軸１２ｘ１，１２ｘ２との間にターンバックル１２ｘ３を螺合すれば、このターンバックル１２ｘ３に固着した回転操作盤１２ｘ４を回転すれば、下支持アーム２は下顎模型取付ベース１に対し、上下に高さが調整できる。上下高さは回転操作盤１２ｘ４の後方に立設した目盛板１２ｘ５で計測できるようになっている。これによって、下支持アーム２の上端に取付けた固定面板４の高さを上下して、咬合面Ｐの位置を変更できるようにできる。これに合わせて、インサイザルピン９の支持環９ａの取付位置の高さも調整する。
【００３５】
このように、図１〜１１の実施例での左右にある各下支持アーム２を図１２の如くターンバックル１２ｘ３の構造で下支持アーム２に垂設した固定ねじ軸１２ｘ２，及び下顎模型取付ベース１に立設した固定ねじ軸１２ｘ１とをターンバックル１２ｘ３で連結することによって、上顎模型取付フレーム８を下顎模型取付ベース１の設置面からの高さを調整でき、上顎模型Ｍ２と下顎模型Ｍ１の上下義歯Ｍ１ａ，Ｍ２ａの咬合面Ｐ上に正中環軸関節の高さに相当する固定面板４の上面がくるように容易且つ迅速にできる。
【００３６】
本実施例で、図１３，１４に示すように固定面板４又は旋回板６にいずれか又は両方スペーサ１４を前後端の咬合爪１４ａで脱着自在に間装する方法でも、上顎模型取付フレーム・咬合面の高さを調整することもできる。例えば、プラスチック製スペーサの厚みとして１．０ｍｍ，２．０ｍｍ，３．０ｍｍ，４．０ｍｍ，５．０ｍｍ程の厚みのものを用意すれば、適切な厚みのスペーサを使用することで咬合面の高さを所要の高さに修正できる。
【００３７】
図１３（イ）は、厚み２．０ｍｍのスペーサ１４を下方の固定面板４に嵌合爪１４ａによって脱着自在に取付けた例である。これによって、咬合面Ｐ及び上顎模型取付フレーム８は２ｍｍ上方に位置する。
図１３（ロ）は、厚み３．０ｍｍのスペーサ１４を上方の旋回板６に嵌合爪１４ａによって脱着自在に取付けた例である。これによって、咬合面Ｐの位置は変動はないが、上顎模型取付フレーム８は３．０ｍｍ上方に持ち上げられる。
図１３（ハ）は、２個の厚み２．０ｍｍのスペーサ１４をそれぞれ下方の固定面板４と、上方の旋回板６に脱着自在に取付ける例で、咬合面は２．０ｍｍ上方に及び上顎模型取付フレーム８は４．０ｍｍ上方に持ち上げられる例である。
上記の持ち上げ寸法は、厚みが寸法が違うスペーサ１４の選択で、１ｍｍ単位に上方に調整可能である。又、咬合面Ｐの高さも調整できる。
【００３８】
このスペーサ１４と上の旋回板６との間又はこれの下方に固着したスペーサ１４の間に咬合面透明プレート１１を挿入することができる。この場合、スペーサ１４を使用するときは、インサイザルピン９の支持環９ａの位置もこれに合せて水平となるように調整する。
【００３９】
尚、スペーサ１４の長手方向の前後端には嵌合爪１４ａが下方向又は上方向に設けられ、嵌合爪１４ａは下方の固定面板４又は上方の旋回板６の前後側壁に当てることでスペーサ１４ａは固定面板４又は旋回板６に固着して、上方の旋回板６の旋回によって外れることがないようにしている。
【産業上の利用可能性】
【００４０】
本発明は一本毎の義歯の作製・修復の他に、複数の義歯の部分義歯、全部義歯の製作・修復にも使用できる。
【符号の説明】
【００４１】
１    下顎模型取付ベース
１ａ    脚部
１ｂ    下顎模型取付円板
１ｃ    模型固定ねじ
２    下支持アーム
１２ｘ    下支持アーム
１２ｘ１    固定ねじ軸
１２ｘ２    固定ねじ軸
１２ｘ３    ターンバックル
１２ｘ４    回転操作盤
１２ｘ５    高さ目盛板
３    下旋回軸棒保持部
４    固定面板
４ａ    嵌合孔
５    旋回軸棒
５ａ  嵌合穴
５ｂ    嵌挿孔
５ｃ    軸心線
６    旋回板
６ａ    嵌合穴
７    上支持アーム
７ａ    水平軸（顎開閉軸）
７ｂ    軸支部（軸端球体）
８    上顎模型取付フレーム
８ａ    フレーム基部
８ｂ    球体受座
８ｃ    上顎模型取付円板
８ｄ    模型固定ねじ
８ｅ    インサイザルピン挿入孔
８ｆ    インサイザルピン固定ねじ
９    インサイザルピン
９ａ    支持環
１０    インサイザルテーブル
１１    咬合面透明プレート
１１ａ    旋回軸棒嵌入溝
１１ｂ    インサイザルピン嵌入溝
１４    スペーサ
１４ａ    嵌合爪
１４ｂ    嵌挿孔
Ｇ    実施例の咬合器
Ｍ１    下顎模型
Ｍ１ａ    下義歯
Ｍ２    上顎模型
Ｍ２ａ    上義歯
ＭＧ    人間の顎関節
ＭＳ    人間の正中環軸関節
Ｐ    咬合面
【図１】
0006407782.tif 000002
【図２】
0006407782.tif 000003
【図３】
0006407782.tif 000004
【図４】
0006407782.tif 000005
【図５】
0006407782.tif 000006
【図６】
0006407782.tif 000007
【図７】
0006407782.tif 000008
【図８】
0006407782.tif 000009
【図９】
0006407782.tif 000010
【図１０】
0006407782.tif 000011
【図１１】
0006407782.tif 000012
【図１２】
0006407782.tif 000013
【図１３】
0006407782.tif 000014
【図１４】
0006407782.tif 000015
【図１５】
0006407782.tif 000016